(57)【要約】【課題】電極間の接触信頼性をより高めることが可能な電気コネクタを提供する。【解決手段】ハウジング１１に対して回動可能に取り付けられた電気コネクタ１０のアクチュエータ１３は、ロック部材１４に当接可能に構成された当接部１３ａを有し、フリー状態からロック状態に回動操作されている最中、当接部１３ａをロック部材１４に当接させて差込口奥側へ変位させることで、ロック部材１４の係止片１４ｄとハウジング１１に差し込まれたＦＰＣ５０とを係止させながら、ロック部材１４を差込口奥側に移動させて、ＦＰＣ５０を差込口奥側に引き込む。【選択図】図１６
2015122221.tif 000002
【特許請求の範囲】
【請求項１】
板状の信号伝送部材を差し込み可能な差込口を有する絶縁性のハウジングと、
前記ハウジングの差込口の内周に配置され、前記差込口を介して前記ハウジングに差し込まれた前記信号伝送部材の電極に対応して配置されている導電性のコンタクトと、
前記ハウジングに対して回動可能に取り付けられたアクチュエータと、
前記ハウジングに差し込まれた前記信号伝送部材に係止可能に構成された係止片を有し、前記差込口手前側から前記差込口奥側へ移動できるように、前記ハウジングに取り付けられたロック部材と、を備え、
前記アクチュエータは、前記ロック部材に当接可能に構成された当接部を有し、フリー状態からロック状態に回動操作されている最中、前記当接部を前記ロック部材に当接させて前記差込口奥側へ変位させることで、前記ロック部材の係止片と前記ハウジングに差し込まれた前記信号伝送部材とを係止させながら、前記ロック部材を前記差込口奥側に移動させて、前記信号伝送部材を前記差込口奥側に引き込む、
ことを特徴とする電気コネクタ。
【請求項２】
前記ロック部材は、弾性部材で構成されており、前記差込口奥側に移動している最中、前記ハウジングの一部に突き当たって変位するための突起状の突当部を有し、
前記ハウジングの一部は、前記ロック部材が前記差込口奥側に移動している最中、前記突当部に突き当たって前記ロック部材を前記信号伝送部材側に変位させることで、前記ロック部材の係止片を前記ハウジングに差し込まれた前記信号伝送部材に近接させる、
ことを特徴とする請求項１に記載の電気コネクタ。
【請求項３】
前記ハウジングは、前記アクチュエータが前記ロック状態に回動操作された場合、前記ハウジングに差し込まれた前記信号伝送部材の前記差込口奥側の端部に当接する、
ことを特徴とする請求項１に記載の電気コネクタ。
【請求項４】
前記ロック部材は、
前記アクチュエータが前記フリー状態から前記ロック状態に回動操作されている最中、前記アクチュエータの前記当接部に当接する当接第１部材と、
前記アクチュエータが前記ロック状態から前記フリー状態に回動操作されている最中、前記アクチュエータの前記当接部に当接する当接第２部材と、を備え、
前記当接部は、前記当接第１部材と前記当接第２部材との間に挟まれており、
前記アクチュエータは、前記フリー状態から前記ロック状態に回動操作されている最中、前記当接第１部材に当接した前記当接部を前記差込口奥側へ変位させることで、前記ロック部材を前記差込口奥側に移動させ、前記ロック状態から前記フリー状態に回動操作されている最中、前記当接第２部材に当接した前記当接部を前記差込口手前側へ変位させることで、前記ロック部材を前記差込口手前側に移動させ、前記ロック部材の係止片と前記ハウジングに差し込まれた前記信号伝送部材との係止を解除する、
ことを特徴とする請求項１に記載の電気コネクタ。
【請求項５】
前記ロック部材は、少なくとも２つ備えられ、
それぞれの前記ロック部材は、前記ハウジングに差し込まれた前記信号伝送部材と前記係止片との係止の位置が前記係止片毎に異なる位置になるように、前記ハウジングに取り付けられている、
ことを特徴とする請求項１に記載の電気コネクタ。
【請求項６】
前記ロック部材は、前記ハウジングの両端に、１つずつ取り付けられている、
ことを特徴とする請求項５に記載の電気コネクタ。
【請求項７】
前記アクチュエータは、前記コンタクトに接触可能に構成された接触部を有し、前記フリー状態から前記ロック状態に回動操作されている最中、前記接触部による前記コンタクトへの押圧を増加させることで、前記コンタクトを前記信号伝送部材の前記電極に押圧させて、前記コンタクトと前記電極とを接触状態にし、前記ロック状態から前記フリー状態に回動操作されている最中、前記接触部による前記コンタクトへの押圧を減少させることで、前記コンタクトの前記電極への押圧を緩和させて、前記コンタクトと前記電極とを非接触状態にする、
ことを特徴とする請求項１に記載の電気コネクタ。
【発明の詳細な説明】
【技術分野】
【０００１】
本発明は、電気コネクタに関する。
【背景技術】
【０００２】
ＦＰＣ（Flexible printed circuits）に代表される信号伝達部材が、コネクタを構成する絶縁性のハウジングの差込口に差し込まれることで、コネクタが実装された基板と信号伝達部材の電極とを電気的に接続する電気コネクタが知られている。
【０００３】
この種の電気コネクタでは、差込口を介してハウジング内部に差し込まれた信号伝達部材の抜け止めを実現するため、特許文献１に示されるように、信号伝達部材の切り欠き部分に、コネクタに設けられた係合部を引っ掛ける構成が採用されている。特許文献２にも、同様の構成が示されている。
【０００４】
これらの電気コネクタでは、信号伝達部材の切り欠き部分に係合部が引っ掛かることで、信号伝達部材の差込口外側への移動を規制する。よって、これらの電気コネクタでは、信号伝達部材がハウジング内部から抜けることを防止できる。
【先行技術文献】
【特許文献】
【０００５】
【特許文献１】特開２０１１−２３２３６号公報
【特許文献２】特開２００８−５２９９２号公報
【発明の概要】
【発明が解決しようとする課題】
【０００６】
しかしながら、特許文献１，２に記載されている電気コネクタでは、信号伝送部材の切り欠き部とコネクタに設けられた係合部とに隙間（遊び）がある。このため、これらの電気コネクタでは、信号伝達部材が差込口奥側に移動することが可能である。よって、差し込まれた信号伝達部材が、例えば何らかの衝撃で差込口奥側に移動して、前述の隙間分ずれることで、信号伝達部材の電極がコネクタの電極（コンタクト）から離れるおそれがある。
【０００７】
本発明は、上記実情に鑑みてなされたものであり、電極間の接触信頼性をより高めることが可能な電気コネクタを提供することを目的とする。
【課題を解決するための手段】
【０００８】
上記目的を達成するために、この発明に係る電気コネクタは、
板状の信号伝送部材を差し込み可能な差込口を有する絶縁性のハウジングと、
前記ハウジングの差込口の内周に配置され、前記差込口を介して前記ハウジングに差し込まれた前記信号伝送部材の電極に対応して配置されている導電性のコンタクトと、
前記ハウジングに対して回動可能に取り付けられたアクチュエータと、
前記ハウジングに差し込まれた前記信号伝送部材に係止可能に構成された係止片を有し、前記差込口手前側から前記差込口奥側へ移動できるように、前記ハウジングに取り付けられたロック部材と、を備えるものであって、
前記アクチュエータは、前記ロック部材に当接可能に構成された当接部を有し、フリー状態からロック状態に回動操作されている最中、前記当接部を前記ロック部材に当接させて前記差込口奥側へ変位させることで、前記ロック部材の係止片と前記ハウジングに差し込まれた前記信号伝送部材とを係止させながら、前記ロック部材を前記差込口奥側に移動させて、前記信号伝送部材を前記差込口奥側に引き込む。
【０００９】
また、前記ロック部材は、弾性部材で構成されており、前記差込口奥側に移動している最中、前記ハウジングの一部に突き当たって変位するための突起状の突当部を有し、
前記ハウジングの一部は、前記ロック部材が前記差込口奥側に移動している最中、前記突当部に突き当たって前記ロック部材を前記信号伝送部材側に変位させることで、前記ロック部材の係止片を前記ハウジングに差し込まれた前記信号伝送部材に近接させる、
ものでもよい。
【００１０】
また、前記ハウジングは、前記アクチュエータが前記ロック状態に回動操作された場合、前記ハウジングに差し込まれた前記信号伝送部材の前記差込口奥側の端部に当接する、
ものでもよい。
【００１１】
また、前記ロック部材は、
前記アクチュエータが前記フリー状態から前記ロック状態に回動操作されている最中、前記アクチュエータの前記当接部に当接する当接第１部材と、
前記アクチュエータが前記ロック状態から前記フリー状態に回動操作されている最中、前記アクチュエータの前記当接部に当接する当接第２部材と、を備え、
前記当接部は、前記当接第１部材と前記当接第２部材との間に挟まれており、
前記アクチュエータは、前記フリー状態から前記ロック状態に回動操作されている最中、前記当接第１部材に当接した前記当接部を前記差込口奥側へ変位させることで、前記ロック部材を前記差込口奥側に移動させ、前記ロック状態から前記フリー状態に回動操作されている最中、前記当接第２部材に当接した前記当接部を前記差込口手前側へ変位させることで、前記ロック部材を前記差込口手前側に移動させ、前記ロック部材の係止片と前記ハウジングに差し込まれた前記信号伝送部材との係止を解除する、
ものでもよい。
【００１２】
また、前記ロック部材は、少なくとも２つ備えられ、
それぞれの前記ロック部材は、前記ハウジングに差し込まれた前記信号伝送部材と前記係止片との係止の位置が前記係止片毎に異なる位置になるように、前記ハウジングに取り付けられている、
ものでもよい。
【００１３】
また、前記ロック部材は、前記ハウジングの両端に、１つずつ取り付けられている、
ものでもよい。
【００１４】
また、前記アクチュエータは、前記コンタクトに接触可能に構成された接触部を有し、前記フリー状態から前記ロック状態に回動操作されている最中、前記接触部による前記コンタクトへの押圧を増加させることで、前記コンタクトを前記信号伝送部材の前記電極に押圧させて、前記コンタクトと前記電極とを接触状態にし、前記ロック状態から前記フリー状態に回動操作されている最中、前記接触部による前記コンタクトへの押圧を減少させることで、前記コンタクトの前記電極への押圧を緩和させて、前記コンタクトと前記電極とを非接触状態にする、
ものでもよい。
【発明の効果】
【００１５】
アクチュエータは、フリー状態からロック状態に回動操作されている最中、当接部をロック部材に当接させて差込口奥側へ変位させることで、ロック部材を差込口奥側に移動させる。そして、アクチュエータは、ロック部材の係止片とハウジングに差し込まれた信号伝送部材とを係止させつつ、ロック部材を差込口奥側に移動させることにより、信号伝送部材を差込口奥側に引き込む。この引き込みによって、アクチュエータは、信号伝送部材が差込口奥側に移動する量を規制する。従って、本発明によれば、信号伝達部材の電極とコンタクトとの間の接触信頼性をより高めることが可能である。
【図面の簡単な説明】
【００１６】
【図１】本発明の実施の形態に係る電気コネクタの差込口側から見たフリー状態（ロック解除状態）の斜視図である。
【図２】電気コネクタの背面側から見たフリー状態（ロック解除状態）の斜視図である。
【図３】電気コネクタのフリー状態（ロック解除状態）の平面図である。
【図４】図３のＡ−Ａ断面図である。
【図５】図４の斜視図である。
【図６】図３のＢ−Ｂ断面図である。
【図７】図３のＣ−Ｃ断面図である。
【図８】電気コネクタの差込口側から見たロック状態の平面図である。
【図９】図８のＤ−Ｄ断面図である。
【図１０】図９の斜視図である。
【図１１】図８のＥ−Ｅ断面図である。
【図１２】図８のＦ−Ｆ断面図である。
【図１３】ＦＰＣが仮収容状態の電気コネクタの平面図である。
【図１４】図１３のＧ−Ｇ断面図である。
【図１５】ＦＰＣが正収容状態の電気コネクタの平面図である。
【図１６】図１５のＨ−Ｈ断面図である。
【図１７】図１５のＩ−Ｉ断面図である。
【図１８】図１５のＪ−Ｊ断面図である。
【図１９】ロック部材が１つの場合における電気コネクタの差込口側から見た、フリー状態（ロック解除状態）の斜視図である。
【発明を実施するための形態】
【００１７】
以下、本発明の実施の形態に係る電気コネクタ１０を、図面を参照して説明する。なお、各図において、電気コネクタ１０の短手方向をｘ軸方向、長手方向をｙ軸方向、厚さ方向をｚ軸方向とする直交座標系を設定し、適宜参照する。また、各軸の矢印方向を＋（プラス）で表し、その反対方向を−（マイナス）で表す。
【００１８】
図１に示すように、電気コネクタ１０は、略矩形状のハウジング１１と、ハウジング１１に配置されたコンタクト１２と、ハウジング１１に対して回動可能に取り付けられたアクチュエータ１３と、板状の信号伝達部材の一例であるＦＰＣ５０に係止可能に構成されたロック部材１４と、を備えている。
【００１９】
ハウジング１１は、樹脂等の絶縁性部材から構成され、電子機器等の配線基板に配置される。ハウジング１１には、ＦＰＣ５０を差し込み可能な差込口１５が設けられている。差込口１５は、入り口の開口が広く、奥側の開口が狭い形状である。
【００２０】
ハウジング１１が、例えば、電子機器等の配線基板に配置されるときには、電気コネクタ１０の全体は、その配線基板に取り付けられる。そして、電子機器等の配線基板に配置されたハウジング１１に、ＦＰＣ５０の一部が、差込口１５を介して差し込まれる。この状態のとき、ＦＰＣ５０は、ハウジング１１に対して固定されておらず、ハウジング１１に仮収容された状態になる。よって、作業者は、ＦＰＣ５０を、差込口１５奥側にも（−ｘ方向にも）、差込口１５手前側にも（＋ｘ方向にも）、移動させることができる。なお、ＦＰＣ５０は、±ｘ，±ｙ方向に対して固定されると、ハウジング１１に正収容された状態になる。
【００２１】
ＦＰＣ５０は、電極５１を有する。電極５１は、ＦＰＣ５０の一端側に設けられた第１の電極５１ａと、ＦＰＣ５０の一端側から離れて設けられた第２の電極５１ｂと、から構成されている。また、ＦＰＣ５０には、切り欠き部５２が形成されている。
【００２２】
コンタクト１２は、金属等の弾性導電材料から形成されている。コンタクト１２は、その大部分がハウジング１１の内部に収容されている。そして、コンタクト１２の一部が、ハウジング１１の差込口１５の内周に配置されている。
【００２３】
また、コンタクト１２は、差込口１５を介してハウジング１１に差し込まれたＦＰＣ５０の電極５１に対応する位置に配置されている。コンタクト１２は、第１の電極５１ａに対応する位置に配置されている第１のコンタクト１２ａと、第２の電極５１ｂに対応する位置に配置されている第２のコンタクト１２ｂとを有する。
【００２４】
第１のコンタクト１２ａと第２のコンタクト１２ｂとは、ハウジング１１の長手方向（ｙ軸方向）に交互に配置されている。
【００２５】
第１のコンタクト１２ａの一方端（一対の端子）は、差込口１５から露出している。また、第１のコンタクト１２ａの他方端は、図２に示すように、差込口１５に対向する面（ハウジング１１の背面）から露出している。第１のコンタクト１２ａの一方端（一対の端子）のうち、図１に示すアクチュエータ１３に対して離れた位置にある端子片は（アクチュエータ１３から見て−ｚ方向に位置する端子片は）、例えば、配線基板上の電極にハンダ付けされる。
【００２６】
また、第２のコンタクト１２ｂの一方端は、図１に示すように、差込口１５から露出している。また、第２のコンタクト１２ｂの他方端（一対の端子）は、図２に示すように、差込口１５に対向する面（ハウジング１１の背面）から露出している。第２のコンタクト１２ｂの他方端（一対の端子）のうち、図２で示すアクチュエータ１３に対して離れた位置にある端子片は（アクチュエータ１３から見て−ｚ方向に位置する端子片は）、例えば、配線基板上の電極にハンダ付けされる。
【００２７】
アクチュエータ１３は、図１〜３に示すように、ハウジング１１の背面側に配置されている。アクチュエータ１３は、ハウジング１１の長手方向（ｙ軸方向）に沿って延在する本体部１３ｄと、本体部１３ｄに取り付けられた台形状の操作部１３ｅとを備えている。本体部１３ｄの長手方向が、ハウジング１１の長手方向に略沿うように配置されている。
【００２８】
アクチュエータ１３は、図４（図３に示すＡ−Ａ線での断面図）と図５（図４の斜視図）とに示すように、ロック部材１４に当接可能に構成された当接部１３ａを備える。
【００２９】
当接部１３ａは、アクチュエータ１３と一体成型される。当接部１３ａは、アクチュエータ１３の長手方向に沿った軸心１３ｃの周辺部に形成された棒状の部材である。当接部１３ａは、軸心１３ｃからオフセットした位置に配置されている。なお、軸心１３ｃは、アクチュエータ１３が回動する際の中心である。
【００３０】
また、アクチュエータ１３は、図６（図３に示すＢ−Ｂ線での断面図）に示すように、第１のコンタクト１２ａに接触可能に構成された接触部１３ｂを有する。接触部１３ｂの断面は、軸心１３ｃを中心とした楕円状である。
【００３１】
接触部１３ｂに接触する第１のコンタクト１２ａは、図６に示すように、断面視で略Ｈ字状を成している。詳細には、第１のコンタクト１２ａは、略Ｈ字状を、互いに逆を向いた２つのＵ字状の部材（差込口１５側に開口があるＵ字状の部材とハウジング１１の背面側に開口があるＵ字状の部材と）で形成している。
【００３２】
第１のコンタクト１２ａのうちの差込口１５側に開口があるＵ字状の部材は、対向した位置に、突起状の第１の凸部１２ａａを有している。第１の凸部１２ａａは、差し込まれたＦＰＣ５０の第１の電極５１ａに当接する部分である。なお、第１のコンタクト１２ａのうち、ハウジング１１の背面側に開口があるＵ字状の部材は、接触部１３ｂを挟んでいる。
【００３３】
また、接触部１３ｂは、図７（図３に示すＣ−Ｃ線での断面図）に示すように、第２のコンタクト１２ｂにも接触可能に構成されている。第２のコンタクト１２ｂは、断面視で略Ｈ字状を成している。詳細には、第２のコンタクト１２ｂは、略Ｈ字状を、互いに逆を向いた２つのＵ字状の部材（差込口１５側に開口があるＵ字状の部材とハウジング１１の背面側に開口があるＵ字状の部材と）で形成している。
【００３４】
第２のコンタクト１２ｂのうちの差込口１５側に開口があるＵ字状の部材は、先端部分の対向した位置に、突起状の第２の凸部１２ｂｂを有している。第２の凸部１２ｂｂは、差し込まれたＦＰＣ５０の第２の電極５１ｂに当接する部分である。なお、第２のコンタクト１２ｂのうち、ハウジング１１の背面側に開口があるＵ字状の部材は、接触部１３ｂを挟んでいる。
【００３５】
ロック部材１４は、薄板材の金属片で成形された弾性部材である。ロック部材１４は、略矩形状のハウジング１１の端部のうち、コンタクト１２が配列された方向（ｙ軸方向）に存在する各々の端部に（ハウジング１１の両端部に）、１つずつ取り付けられている。ロック部材１４は、アクチュエータ１３の回動操作に伴って（当接部１３ａの変位に伴って）、差込口１５手前側から差込口１５奥側へ移動できるように、ハウジング１１に取り付けられている。ロック部材１４は、図４に示すように、断面視で略Ｆ字状を成している。
【００３６】
ロック部材１４は、当接部１３ａを挟むための＋ｚ方向に延設された板状の部材、即ち、当接第１部材１４ａと当接第２部材１４ｂとを有する。また、ロック部材１４は、当接第１部材１４ａと当接第２部材１４ｂとに接続された、ｘ軸方向に延びた板状のベース部材１４ｃと、ベース部材１４ｃの先端に配置された三角板状の係止片１４ｄと、を有する。
【００３７】
当接第１部材１４ａ、当接第２部材１４ｂ、ベース部材１４ｃ、係止片１４ｄは、一体成型されている。当接第１部材１４ａは、ハウジング１１の背面側に配置され、当接第２部材１４ｂは、ハウジング１１の差込口１５側に配置されている。
【００３８】
ベース部材１４ｃは、台形状の部分がハウジング１１に挟まれた状態で配置されている。係止片１４ｄは、ハウジング１１に差し込まれたＦＰＣ５０の切り欠き部５２に係止可能に構成されている。係止片１４ｄは、＋ｚ方向に延設された返し部分１４ｅと、ハウジング１１の一部である縁部１１ａの外形に適合した形状を有する凸状の突当部１４ｆと、を有している。
【００３９】
アクチュエータ１３が、例えば、図４に示すように、ハウジング１１に対して起き上がった状態（フリー状態）である場合、当接第１部材１４ａと当接第２部材１４ｂとの間に挟まれた当接部１３ａは、当接第２部材１４ｂに当接する。これにより、フリー状態であるアクチュエータ１３は、ロック部材１４を差込口１５手前側に配置する。結果、返し部分１４ｅとハウジング１１との間隔Ｗ１は、ＦＰＣ５０の厚みＷａよりも広くなる。
【００４０】
また、アクチュエータ１３がフリー状態である場合、第１のコンタクト１２ａのうちのハウジング１１の背面側に開口があるＵ字状の部材は、接触部１３ｂの断面上の短辺を形成する２点を挟む状態になる。これにより、このＵ字状の部材への接触部１３ｂによる押圧が殆どない状態になる。結果、第１の凸部１２ａａ同士の間隔Ｗ２は、ＦＰＣ５０の厚みＷａよりも広くなる。
【００４１】
同様に、アクチュエータ１３がフリー状態である場合、第２のコンタクト１２ｂのうちのハウジング１１の背面側に開口があるＵ字状の部材は、接触部１３ｂの断面上の短辺を形成する２点を挟む状態になる。これにより、このＵ字状の部材への接触部１３ｂによる押圧が殆どない状態になる。結果、第２の凸部１２ｂｂ同士の間隔Ｗ３は、ＦＰＣ５０の厚みＷａよりも広くなる。
【００４２】
上述のように、アクチュエータ１３がフリー状態である場合、ロック部材１４の返し部分１４ｅとハウジング１１との間隔Ｗ１、第１の凸部１２ａａ同士の間隔Ｗ２、第２の凸部１２ｂｂ同士の間隔Ｗ３は、ＦＰＣ５０の厚みＷａよりも広くなる。このため、作業者は、ハウジング１１の差込口１５にＦＰＣ５０を差し込んで、ＦＰＣ５０をハウジング１１に仮収容することができる。
【００４３】
アクチュエータ１３を作業者が回動操作すると、アクチュエータ１３は、図８に示すように、ハウジング１１に対して伏した状態（ロック状態）になる。フリー状態からロック状態に回動操作されている最中、アクチュエータ１３は、軸心１３ｃを中心に回動する。これにより、アクチュエータ１３は、図９（図８に示すＤ−Ｄ線での断面図）と、図１０（図９の斜視図）とに示すように、当接部１３ａを、変位させて、当接第１部材１４ａに当接させる。
【００４４】
その後、アクチュエータ１３は、当接第１部材１４ａに当接した当接部１３ａを差込口１５奥側へ変位させて、ロック部材１４を差込口１５奥側に移動させる。
【００４５】
ロック部材１４が差込口１５奥側に移動している最中、ハウジング１１の一部である縁部１１ａに突当部１４ｆが突き当たる。これにより、ハウジング１１は、ロック部材１４を＋ｚ方向に変位させる。その結果、返し部分１４ｅとハウジング１１との間隔Ｗ１は、ＦＰＣ５０の厚みＷａよりも狭くなる。
【００４６】
また、アクチュエータ１３がフリー状態からロック状態になると、図１１（図８に示すＥ−Ｅ線での断面図）に示すように、第１のコンタクト１２ａのうちのハウジング１１の背面側に開口があるＵ字状の部材は、接触部１３ｂの断面上の長辺を形成する２点を挟む状態になる。これにより、このＵ字状の部材の開口が広がり、第１のコンタクト１２ａのうちの差込口１５側に開口があるＵ字状の部材の開口が、狭くなる。このため、第１の凸部１２ａａ同士の間隔Ｗ２が、ＦＰＣ５０の厚みＷａよりも狭くなる。
【００４７】
同様に、アクチュエータ１３がフリー状態からロック状態になると、図１２（図８に示すＦ−Ｆ線での断面図）に示すように、第２のコンタクト１２ｂのうちのハウジング１１の背面側に開口があるＵ字状の部材は、接触部１３ｂの断面上の長辺を形成する２点を挟む状態になる。これにより、このＵ字状の部材の開口が広がり、第２のコンタクト１２ｂのうちの差込口１５側に開口があるＵ字状の部材の開口が、狭くなる。このため、第２の凸部１２ｂｂ同士の間隔Ｗ３が、ＦＰＣ５０の厚みＷａよりも狭くなる。
【００４８】
上述のように、アクチュエータ１３がロック状態である場合、ロック部材１４の返し部分１４ｅとハウジング１１との間隔Ｗ１が、ＦＰＣ５０の厚みＷａよりも狭くなる。これにより、ＦＰＣ５０の切り欠き部５２と係止片１４ｄとの係止が実現される。また、アクチュエータ１３がロック状態である場合、第１の凸部１２ａａ同士の間隔Ｗ２、第２の凸部１２ｂｂ同士の間隔Ｗ３が、ＦＰＣ５０の厚みＷａよりも狭くなる。これにより、第１のコンタクト１２ａと第１の電極５１ａとの接触及び第２のコンタクト１２ｂと第２の電極５１ｂとの接触が実現される。
【００４９】
上述した電気コネクタ１０のハウジング１１内部にＦＰＣ５０を差し込み、ＦＰＣ５０の電極５１とコンタクト１２とを導通させる手順を説明する。
【００５０】
まず、アクチュエータ１３がハウジング１１に対して伏せられた状態（ロック状態）である場合、作業者は、アクチュエータ１３を、ハウジング１１に対して起こした状態（フリー状態）にする。この最中、アクチュエータ１３は、前述の通り、当接部１３ａを、変位させて、当接第２部材１４ｂに当接させる。
【００５１】
そして、アクチュエータ１３は、当接第２部材１４ｂに当接した当接部１３ａを差込口１５手前側（＋ｘ方向）へ変位させて、図４と図５とに示すように、ロック部材１４を差込口１５手前側に移動させる。
【００５２】
アクチュエータ１３をフリー状態にした後、作業者は、ＦＰＣ５０を、差込口１５を介してハウジング１１に差し込む。このとき、ロック部材１４の係止片１４ｄは、図１３と、図１４（図１３に示すＧ−Ｇ線での断面図）とに示すように、ＦＰＣ５０の切り欠き部５２に係止されていない状態である。また、図１４に示すように、ハウジング１１に差し込まれたＦＰＣ５０の差込口１５奥側にある端部は、ハウジング１１の奥壁１１ｂから離れた状態である。即ち、ＦＰＣ５０は、ハウジング１１に仮収容された状態である。
【００５３】
ＦＰＣ５０をハウジング１１に仮収容した後、作業者は、アクチュエータ１３をフリー状態からロック状態にする。フリー状態からロック状態に回動操作されている最中、アクチュエータ１３は、当接部１３ａを、変位させて、当接第１部材１４ａに当接させる。
【００５４】
そして、アクチュエータ１３は、当接第１部材１４ａに当接した当接部１３ａを差込口１５奥側へ変位させて、ロック部材１４を差込口１５奥側に移動させる。
【００５５】
ロック部材１４が差込口１５奥側に移動している最中、図１５と、図１６（図１５に示すＨ−Ｈ線での断面図）とに示すように、ハウジング１１の一部である縁部１１ａに、突当部１４ｆが突き当たる。これにより、ハウジング１１は、ロック部材１４をＦＰＣ５０側（＋ｚ方向）に変位させる。この変位により、ハウジング１１は、係止片１４ｄをハウジング１１に差し込まれたＦＰＣ５０に近接させる。この状態で、ハウジング１１は、ロック部材１４を差込口１５奥側に更に移動させることで、ＦＰＣ５０の切り欠き部５２に係止片１４ｄの返し部分１４ｅを引っ掛ける。
【００５６】
このようにして、アクチュエータ１３は、ＦＰＣ５０と係止片１４ｄとを係止させる。その後、アクチュエータ１３は、回動操作に伴って、当接第１部材１４ａに当接した当接部１３ａを差込口１５奥側に更に移動させて、ロック部材１４を差込口１５奥側に更に移動させることで、ＦＰＣ５０を、差込口１５奥側に引き込む。
【００５７】
ここで、前述の通り、ロック部材１４は、略矩形状のハウジング１１の端部のうち、コンタクト１２が配列された方向に存在する各端部に（ハウジング１１の両端部に）、１つずつ取り付けられている。よって、ロック部材１４は、コンタクト１２の配列方向に対して、±ｘ方向及び±ｙ方向に）、ＦＰＣ５０が移動することを規制する。従って、アクチュエータ１３は、ＦＰＣ５０を、コンタクト１２の配列方向に対してずらすことなく、差込口１５奥側に引き込むことができる。
【００５８】
これにより、図１６に示すように、ＦＰＣ５０の差込口１５奥側の端部は、ハウジング１１の奥壁１１ｂに当接する。この引き込みによって、ＦＰＣ５０は、±ｘ，±ｙ方向に対して固定され、ハウジング１１に正収容された状態になる。
【００５９】
この引き込みによって、アクチュエータ１３は、ＦＰＣ５０が差込口１５奥側に更に移動可能な量を規制する。これにより、電気コネクタ１０は、ハウジング１１に差し込まれたＦＰＣ５０が、コンタクト１２の配列方向に対してずれて（コンタクト１２の配列方向に対して、±ｘ方向及び±ｙ方向にずれて）、ＦＰＣ５０の電極５１がコンタクト１２から離れることを、抑制可能である。
【００６０】
また、アクチュエータ１３がフリー状態からロック状態に回動操作されている最中、断面が楕円状の接触部１３ｂが軸心１３ｃを中心に回転する。すると、図１７（図１５に示すＩ−Ｉ線での断面図）に示すように、第１のコンタクト１２ａのうちのハウジング１１の背面側に開口があるＵ字状の部材は、接触部１３ｂの断面上の短辺を形成する２点を挟んだ状態から、接触部１３ｂの断面上の長辺を形成する２点を挟む状態になる。
【００６１】
このとき、接触部１３ｂは、ハウジング１１の背面側に開口があるＵ字状の部材への押圧を増加させることで、このＵ字状の部材の開口を広げ、第１のコンタクト１２ａのうちの差込口１５側に開口があるＵ字状の部材の開口を、狭くする。このため、第１の凸部１２ａａが、ＦＰＣ５０の第１の電極５１ａに押圧される。このようにして、アクチュエータ１３は、第１の凸部１２ａａを第１の電極５１ａに押圧することで、第１のコンタクト１２ａと第１の電極５１ａとを接触状態にする。この接触状態を保ちながら、アクチュエータ１３は、ＦＰＣ５０を、差込口１５奥側に引き込む。
【００６２】
同様に、アクチュエータ１３がフリー状態からロック状態に回動操作されている最中、断面が楕円状の接触部１３ｂが軸心１３ｃを中心に回転すると、図１８（図１５に示すＪ−Ｊ線での断面図）に示すように、第２のコンタクト１２ｂのうちのハウジング１１の背面側に開口があるＵ字状の部材は、接触部１３ｂの断面上の短辺を形成する２点を挟んだ状態から、接触部１３ｂの断面上の長辺を形成する２点を挟む状態になる。
【００６３】
このとき、接触部１３ｂは、ハウジング１１の背面側に開口があるＵ字状の部材への押圧を増加させることで、このＵ字状の部材の開口を広げ、第２のコンタクト１２ｂのうちの差込口１５側に開口があるＵ字状の部材の開口を、狭くする。このため、第２の凸部１２ｂｂが、ＦＰＣ５０の第２の電極５１ｂに押圧される。このようにして、アクチュエータ１３は、第２の凸部１２ｂｂを第２の電極５１ｂに押圧することで、第２のコンタクト１２ｂと第２の電極５１ｂとを接触状態にする。この接触状態を保ちながら、アクチュエータ１３は、ＦＰＣ５０を、差込口１５奥側に引き込む。
【００６４】
上述のようにして、作業者は、ＦＰＣ５０の電極５１とコンタクト１２とを導通させる。
【００６５】
なお、ハウジング１１に正収容されたＦＰＣ５０を、電気コネクタ１０（ハウジング１１）から取り外す場合、作業者は、アクチュエータ１３を、ロック状態からフリー状態にする。この最中、アクチュエータ１３は、当接部１３ａを、変位させ、当接第２部材１４ｂに当接させる。
【００６６】
そして、アクチュエータ１３は、当接第２部材１４ｂに当接した当接部１３ａを差込口１５手前側（＋ｘ方向）へ変位させて、ロック部材１４を差込口１５手前側に移動させる。
【００６７】
すると、ハウジング１１の一部である縁部１１ａは、突当部１４ｆとの突き当たりを解除して、ロック部材１４の＋ｚ方向への変位を解除する。これにより、返し部分１４ｅとハウジング１１との間隔Ｗ１は、ＦＰＣ５０の厚みＷａよりも広くなる。そして、アクチュエータ１３は、当接第２部材１４ｂに当接した当接部１３ａを差込口１５手前側へ更に変位させて、ロック部材１４を差込口１５手前側に更に移動させる。これにより、アクチュエータ１３は、図１４に示すように、返し部分１４ｅを有する係止片１４ｄとＦＰＣ５０との係止を解除する。
【００６８】
また、アクチュエータ１３がロック状態からフリー状態に回動操作されている最中、断面が楕円状の接触部１３ｂが軸心１３ｃを中心に回転する。この間、第１のコンタクト１２ａのうちのハウジング１１の背面側に開口があるＵ字状の部材は、接触部１３ｂの断面上の長辺を形成する２点を挟んだ状態から、接触部１３ｂの断面上の短辺を形成する２点を挟む状態に変わる。
【００６９】
このとき、接触部１３ｂは、ハウジング１１の背面側に開口があるＵ字状の部材への押圧を減少させることで、このＵ字状の部材の開口を狭くし、第１のコンタクト１２ａのうちの差込口１５側に開口があるＵ字状の部材の開口を広くする。このようにして、アクチュエータ１３は、第１の凸部１２ａａの第１の電極５１ａへの押圧を緩和させて、第１のコンタクト１２ａと第１の電極５１ａとを非接触状態にする。
【００７０】
同様に、アクチュエータ１３がロック状態からフリー状態に回動操作されている最中、第２のコンタクト１２ｂのうちのハウジング１１の背面側に開口があるＵ字状の部材は、接触部１３ｂの断面上の長辺を形成する２点を挟んだ状態から、接触部１３ｂの断面上の短辺を形成する２点を挟む状態に変わる。
【００７１】
このとき、接触部１３ｂは、ハウジング１１の背面側に開口があるＵ字状の部材への押圧を減少させることで、このＵ字状の部材の開口を狭くし、第２のコンタクト１２ｂのうちの差込口１５側に開口があるＵ字状の部材の開口を広くする。このようにして、アクチュエータ１３は、第２の凸部１２ｂｂの第２の電極５１ｂへの押圧を緩和させて、第２のコンタクト１２ｂと第２の電極５１ｂとを非接触状態にする。
【００７２】
上述のように、作業者は、アクチュエータ１３がロック状態からフリー状態に回動操作することで、ハウジング１１に正収容されていたＦＰＣ５０を仮収容状態にして、電気コネクタ１０（ハウジング１１）から取り外すことができる。
【００７３】
以上のように、アクチュエータ１３は、フリー状態からロック状態に回動操作されている最中、当接第１部材１４ａに当接した当接部１３ａを差込口１５奥側（−ｘ方向）へ変位させて、ロック部材１４を差込口１５奥側に移動させる。
【００７４】
このとき、アクチュエータ１３は、係止片１４ｄとＦＰＣ５０の切り欠き部５２とを係止させる。その後、アクチュエータ１３は、回動操作に伴って（当接部１３ａの変位に伴って）、ロック部材１４を差込口１５奥側に移動させることで、ＦＰＣ５０を、差込口１５奥側に引き込む。
【００７５】
この引き込みによって、アクチュエータ１３は、ＦＰＣ５０が差込口１５奥側に移動する量を規制する。これにより、電気コネクタ１０は、ハウジング１１に差し込まれたＦＰＣ５０が、コンタクト１２の配列方向に対してずれて（コンタクト１２の配列方向に対して、±ｘ方向及び±ｙ方向にずれて）、ＦＰＣ５０の電極５１がコンタクト１２から離れることを、抑制可能である。よって、電気コネクタ１０によれば、ＦＰＣ５０の電極５１とコンタクト１２との接触信頼性をより高めることが可能である。
【００７６】
また、アクチュエータ１３は、フリー状態からロック状態への回動操作に伴って、差込口１５奥側にＦＰＣ５０を引き込み、ＦＰＣ５０の差込口１５奥側の端部を、ハウジング１１の奥壁１１ｂに当接させる。つまり、アクチュエータ１３は、ＦＰＣ５０の差込口１５奥側の端部と奥壁１１ｂとの間に、空間を発生させない。この当接によって、アクチュエータ１３は、±ｘ，±ｙ方向に対して移動が規制された状態になる。よって、電気コネクタ１０によれば、ＦＰＣ５０の電極５１とコンタクト１２との接触信頼性をより高めることが可能である。
【００７７】
また、アクチュエータ１３は、ロック部材１４が差込口１５奥側に移動している最中、ハウジング１１の一部である縁部１１ａに突当部１４ｆを突き当て、ロック部材１４をＦＰＣ５０側（＋ｚ方向）に変位させることで、係止片１４ｄとＦＰＣ５０の切り欠き部５２とを係止させる。よって、電気コネクタ１０によれば、ＦＰＣ５０の切り欠き部５２に精度よく係止片１４ｄを係止させ、ＦＰＣ５０を差込口１５奥側に引き込むことができる。
【００７８】
また、各々のロック部材１４は、略矩形状のハウジング１１の端部のうち、コンタクト１２が配列された方向（ｙ軸方向）に存在する各端部に（ハウジング１１の両端部に）、１つずつ取り付けられている。これにより、ＦＰＣ５０と係止片１４ｄとの係止位置が、係止片１４毎に異なる位置になる。よって、ロック部材１４は、ＦＰＣ５０を差込口１５奥側に引き込んでいる最中に、コンタクト１２の配列方向に対してＦＰＣ５０がずれることを規制できる（コンタクト１２の配列方向に対して、±ｘ方向及び±ｙ方向にＦＰＣ５０がずれることを規制できる）。よって、電気コネクタ１０によれば、ＦＰＣ５０の電極５１とコンタクト１２との接触信頼性をより高めることが可能である。
【００７９】
また、アクチュエータ１３は、フリー状態からロック状態に回動操作されている最中、第１のコンタクト１２ａと第１の電極５１ａとを接触状態にして、且つ、第２のコンタクト１２ｂと第２の電極５１ｂとを接触状態にした上で、ＦＰＣ５０を差込口１５奥側に引き込む。これにより、第１のコンタクト１２ａと第１の電極５１ａとの接触部分及び第２のコンタクト１２ｂと第２の電極５１ｂとの接触部分に、摩擦を発生させ、いわゆるワイピングの効果を得ることができる。よって、第１のコンタクト１２ａ、第１の電極５１ａ、第２のコンタクト１２ｂ、第２の電極５１ｂの何れかに酸化が生じている場合であっても、アクチュエータ１３は、ＦＰＣ５０を引き込む際に摩擦を発生させて、接触部分の酸化膜を除去することで、接触抵抗を通常値にすることができる。
【００８０】
以上、本発明の実施の形態を説明したが、この発明は上記の実施の形態に限定されず、種々の変形及び応用が可能である。
【００８１】
例えば、上述した実施の形態の電気コネクタ１０では、前述の通り、各々のロック部材１４は、略矩形状のハウジング１１の端部のうち、コンタクト１２が配列された方向（ｙ軸方向）に存在する各端部に（ハウジング１１の両端部に）、１つずつ取り付けられていたが、これに限られるものではない。
【００８２】
即ち、図１９に示すように、ロック部材１４を１つ使用してもよい。そして、そのロック部材１４を、アクチュエータ１３の回動操作に伴って（当接部１３ａの変位に伴って）、差込口１５手前側から差込口１５奥側へ移動できるように、例えば、ハウジング１１の長手方向（ｙ軸方向）の中央部に取り付けてもよい。１つのロック部材１４をハウジング１１に取り付けた状態における断面図（図１９のＫ−Ｋ線での断面図）は、図４と同様になる。
【００８３】
なお、１つのロック部材１４をハウジング１１に取り付けた場合、図１９に示すように、ＦＰＣ５０に対して、ロック部材１４の係止片１４ｄとＦＰＣ５０との係止が可能な位置に、切り欠き部５２を設ければよい。
【００８４】
また、各々のロック部材１４を、ハウジング１１の両端部ではなく、例えば、ハウジング１１の両端部からハウジング１１の中央部側にオフセットした位置に、１つずつ取り付けてもよい。この構成によっても、ロック部材１４は、ＦＰＣ５０と係止片１４ｄとの係止位置を、係止片１４毎に異なる位置にできる。よって、ロック部材１４は、ＦＰＣ５０を差込口１５奥側に引き込んでいる最中に、コンタクト１２の配列方向に対してＦＰＣ５０がずれることを規制できる。また、上述の構成において、一方のロック部材１４と他方のロック部材１４との例えばオフセット量を異ならせることで、ＦＰＣ５０が裏表逆に差込口１５に差し込まれても、ＦＰＣ５０の切り欠き部５２と係止片１４ｄとが係止しない。よって、ＦＰＣ５０が誤って裏表逆に差込口１５に差し込まれることを防止できる。
【００８５】
また、例えば、上述した実施の形態の電気コネクタ１０では、前述の通り、アクチュエータ１３は、ロック状態への回動操作に伴って、差込口１５奥側にＦＰＣ５０を引き込み、ＦＰＣ５０の差込口１５奥側の端部を、ハウジング１１の奥壁１１ｂに当接させた。つまり、アクチュエータ１３は、ＦＰＣ５０の差込口１５奥側の端部と奥壁１１ｂとの間に、空間を発生させなかった。しかし、これに限られるものではない。
【００８６】
即ち、アクチュエータ１３は、引き込んだＦＰＣ５０の差込口１５奥側の端部を、ハウジング１１の奥壁１１ｂに当接させなくてもよい。このとき、ＦＰＣ５０の差込口１５奥側の端部と奥壁１１ｂとの間に、隙間が発生する。このため、何らかの衝撃で、ＦＰＣ５０が、コンタクト１２の配列方向に対してずれる可能性がある（コンタクト１２の配列方向に対して、±ｘ方向及び±ｙ方向にずれる可能性がある）。よって、ＦＰＣ５０の差込口１５奥側の端部と奥壁１１ｂとの間は、ＦＰＣ５０にずれが生じても、ＦＰＣ５０の電極５１とコンタクト１２との接触を維持できる限度に留めるのが好ましい。
【００８７】
本発明は、本発明の広義の精神と範囲を逸脱することなく、様々な実施形態及び変形が可能とされるものである。また、上述した実施形態は、本発明を説明するためのものであり、本発明の範囲を限定するものではない。すなわち、本発明の範囲は、上述した実施形態ではなく、請求の範囲によって示される。そして、請求の範囲内及びそれと同等の発明の意義の範囲内で施される様々な変形が、本発明の範囲内とみなされる。
【符号の説明】
【００８８】
１０  電気コネクタ、１１  ハウジング、１１ａ  縁部、１１ｂ  奥壁、１２  コンタクト、１２ａ  第１のコンタクト、１２ａａ  第１の凸部、１２ｂ  第２のコンタクト、１２ｂｂ  第２の凸部、１３  アクチュエータ、１３ａ  当接部、１３ｂ  接触部、１３ｃ  軸心、１３ｄ  本体部、１３ｅ  操作部、１４  ロック部材、１４ａ  当接第１部材、１４ｂ  当接第２部材、１４ｃ  ベース部材、１４ｄ  係止片、１４ｅ  返し部分、１４ｆ  突当部、１５  差込口、５０  ＦＰＣ、５１  電極、５１ａ  第１の電極、５１ｂ  第２の電極、５２  切り欠き部。
【図１】
2015122221.tif 000003
【図２】
2015122221.tif 000004
【図３】
2015122221.tif 000005
【図４】
2015122221.tif 000006
【図５】
2015122221.tif 000007
【図６】
2015122221.tif 000008
【図７】
2015122221.tif 000009
【図８】
2015122221.tif 000010
【図９】
2015122221.tif 000011
【図１０】
2015122221.tif 000012
【図１１】
2015122221.tif 000013
【図１２】
2015122221.tif 000014
【図１３】
2015122221.tif 000015
【図１４】
2015122221.tif 000016
【図１５】
2015122221.tif 000017
【図１６】
2015122221.tif 000018
【図１７】
2015122221.tif 000019
【図１８】
2015122221.tif 000020
【図１９】
2015122221.tif 000021